(57)【要約】【課題】湾曲型の液晶表示装置において斜めからの光漏れ、混色等の不具合を抑制し、高い表示品位を有する液晶表示装置を得る。【解決手段】アレイ基板に複数の画素間パターンが設けられ、対向基板に複数の遮光パターンが設けられる。着目する画素間パターンの湾曲方向の位置が湾曲の頂上部から表示領域の周縁部まで移動した場合に、アレイ基板が平坦であるときの着目する画素間パターンの湾曲方向の位置からの対向基板が平坦であるときの着目する遮光パターンの湾曲方向の位置のずらし量が、大きくなった後に小さくなる。または、アレイ基板および対向基板の一方である基板に複数の遮光パターンが設けられる。着目する遮光パターンの湾曲方向の位置が湾曲の頂上部から表示領域の周縁部まで移動した場合に、着目する遮光パターンの湾曲方向の幅が、広くなったあとに狭くなる。【選択図】図３
2018081192.tif 000002
【特許請求の範囲】
【請求項１】
湾曲方向について湾曲し、表示領域に配置される複数の画素間パターンを備え、前記複数の画素間パターンが前記湾曲方向に配列されるアレイ基板と、
対向基板であって、前記アレイ基板に沿うように前記湾曲方向について湾曲し、前記表示領域に配置される複数の遮光パターンを備え、前記複数の遮光パターンが前記湾曲方向に配列され前記複数の画素間パターンにそれぞれ対応し、前記複数の画素間パターンにおける着目する画素間パターンの前記湾曲方向の位置が湾曲の頂上部から前記表示領域の周縁部まで移動した場合に、前記アレイ基板が平坦であるときの前記着目する画素間パターンの前記湾曲方向の位置からの前記対向基板が平坦であるときの前記複数の遮光パターンにおける前記着目する画素間パターンに対応する着目する遮光パターンの前記湾曲方向の位置のずらし量が、大きくなった後に小さくなる対向基板と、
を備える液晶表示装置。
【請求項２】
前記表示領域を囲み、前記対向基板を前記アレイ基板に貼り合わせるシール材
をさらに備え、
前記周縁部は、前記シール材に沿い、
前記着目する画素間パターンの前記湾曲方向の位置が前記頂上部または前記周縁部にある場合に前記ずらし量が０になる
請求項１の液晶表示装置。
【請求項３】
前記対向基板は、
前記湾曲方向に配列される複数の繰り返し単位を備え、前記複数の繰り返し単位の各々が第１から第ｎまでの着色部を備え、ｎが３以上の整数であり、前記第１から第ｎまでの着色部が同一の絵素に属する着色部アレイ
をさらに備え、
前記複数の遮光パターンは、前記複数の繰り返し単位の各々について、第ｉの遮光パターンが第ｉ＋１の遮光パターンに隣接し、第ｉの遮光パターンおよび第ｉ＋１の遮光パターンが第ｉの着色部を挟み、ｉが１からｎまでの整数の各々であり、前記対向基板が平坦である場合に一定のピッチで配列される第１から第ｎ＋１までの遮光パターンを含み、
前記複数の画素間パターンは、前記複数の繰り返し単位の各々について、前記第１から第ｎ＋１までの遮光パターンにそれぞれ対応し、前記アレイ基板が平坦である場合に一定のピッチで配置される第１から第ｎ＋１までの画素間パターンを含む
請求項１または２の液晶表示装置。
【請求項４】
前記ずらし量が０でない場合に、前記着目する画素間パターンの前記湾曲方向の位置が、前記アレイ基板が平坦であり前記複数の画素間パターンが一定のピッチで配置されるときの位置から第１の方向にずらされ、前記着目する遮光パターンの前記湾曲方向の位置が、前記対向基板が平坦であり前記複数の遮光パターンが一定のピッチで配置されるときの位置から前記第１の方向と反対の第２の方向にずらされる
請求項１から３までのいずれかの液晶表示装置。
【請求項５】
前記対向基板が前記アレイ基板より湾曲内側に配置され、
前記ずらし量が０でない場合に、前記対向基板が平坦であるときの前記着目する遮光パターンの前記湾曲方向の位置が、前記アレイ基板が平坦であるときの前記着目する画素間パターンの前記湾曲方向の位置から前記周縁部に向かってずらされる
請求項１から４までのいずれかの液晶表示装置。
【請求項６】
前記アレイ基板が前記対向基板より湾曲内側に配置され、
前記ずらし量が０でない場合に、前記アレイ基板が平坦であるときの前記着目する画素間パターンの前記湾曲方向の位置が、前記対向基板が平坦であるときの前記着目する遮光パターンの前記湾曲方向の位置から前記周縁部に向かってずらされる
請求項１から４までのいずれかの液晶表示装置。
【請求項７】
アレイ基板および対向基板の一方であり、湾曲方向について湾曲し、表示領域に配列される第１の複数の遮光パターンを備え、前記第１の複数の遮光パターンが前記湾曲方向に配列される第１の基板と、
前記アレイ基板および前記対向基板の他方であり、前記第１の基板に沿うように前記湾曲方向について湾曲し、前記第１の基板より湾曲内側に配置され、前記表示領域に配置される第２の複数の遮光パターンを備え、前記第２の複数の遮光パターンが前記湾曲方向に配列され前記第１の複数の遮光パターンにそれぞれ対応し、前記第２の複数の遮光パターンにおける着目する遮光パターンの前記湾曲方向の位置が湾曲の頂上部から前記表示領域の周縁部まで移動した場合に、前記着目する遮光パターンの前記湾曲方向の幅が、広くなった後に狭くなる第２の基板と、
を備える液晶表示装置。
【請求項８】
a)平坦であり、表示領域に配置される複数の画素間パターンを備え、前記複数の画素間パターンが特定の方向に配列されるアレイ基板と、
平坦であり、前記表示領域に配置される複数の遮光パターンを備え、前記複数の遮光パターンが前記特定の方向に配列され前記複数の画素間パターンにそれぞれ対応し、前記複数の画素間パターンにおける着目する画素間パターンの前記特定の方向の位置が特定の部分から前記表示領域の周縁部に移動した場合に、前記着目する画素間パターンの前記湾曲方向の位置からの前記複数の遮光パターンにおける前記着目する画素間パターンに対応する着目する遮光パターンの前記湾曲方向の位置のずらし量が、大きくなった後に小さくなる対向基板と、
を備える仕掛品を準備する工程と、
b)前記特定の部分が湾曲の頂上部となり前記対向基板が前記アレイ基板に沿うように前記アレイ基板および前記対向基板を前記特定の方向について湾曲させる工程と、
を備える液晶表示装置を製造する方法。
【発明の詳細な説明】
【技術分野】
【０００１】
本発明は、液晶表示装置および液晶表示装置を製造する方法に関する。
【背景技術】
【０００２】
優れたデザインを有する液晶表示装置、占有するスペースが小さい液晶表示装置等を実現するために、湾曲型の液晶表示装置が求められる。
【０００３】
一般的に言って、液晶表示装置は、アレイ基板および対向基板を備える。対向基板は、アレイ基板に対向する。アレイ基板には、複数の画素間パターンが設けられる。例えば、アレイ基板には、複数のゲート配線、複数のソース配線等が設けられる。対向基板には、複数の画素間パターンにそれぞれ対応する複数の遮光パターンが設けられる。例えば、対向基板には、複数のブラックマトリクスが設けられる。
【０００４】
しかし、湾曲型の液晶表示装置を実現するためにアレイ基板および対向基板が湾曲方向について湾曲させられた場合は、アレイ基板と対向基板との間にずれが発生し、対向基板に設けられる遮光パターンの湾曲方向の位置がアレイ基板に設けられる画素間パターンの湾曲方向の位置からずれる場合がある。このようなずれは、遮光パターンによる不要な光の遮光を妨げ、斜めからの光漏れ、混色等の不具合の原因になる。
【０００５】
特許文献１、２および３に記載された技術は、湾曲型の液晶表示装置においてアレイ基板および対向基板が湾曲させられることにより発生するアレイ基板と対向基板との間のずれを抑制するためのものである。
【０００６】
特許文献１に記載された技術においては、アクティブマトリックス基板と呼ばれるアレイ基板にソースラインと呼ばれる画素間パターンが設けられ（段落００６２）、対向基板にブラックマトリクスと呼ばれる遮光パターンが設けられる（段落００６２）。湾曲方向ピッチＰ１と呼ばれる画素間パターンのピッチが湾曲方向ピッチＰ２と呼ばれる遮光パターンのピッチより小さくされ（段落００６３および図５）、液晶表示パネルの湾曲の両端部と呼ばれる表示領域の周縁部ほどその度合いが大きくされる（段落００６７および００６８）。
【０００７】
特許文献２に記載された技術においては、ＣＦ基板と呼ばれる対向基板に垂直ＢＭと呼ばれる遮光パターンが設けられる（段落００１６および００１７）。遮光パターンの幅は、液晶パネルの中央部と呼ばれる表示領域の中心部から液晶パネルの周縁部と呼ばれる表示領域の周縁部に向かうにつれて広くなる（段落００１９）。
【０００８】
特許文献３に記載された技術においては、ＣＦ基板と呼ばれる対向基板にブラックマトリクスと呼ばれる遮光パターンが設けられる（段落００３７）。遮光パターンの幅は、ＣＦ基板の中央部領域と呼ばれる表示領域の中心部よりもＣＦ基板の両端部領域と呼ばれる表示領域の周縁部において広くなる（段落００３７）。
【０００９】
特許文献１、２および３に記載された技術は、互いに対向して配置されるアレイ基板および対向基板が湾曲させられることにより発生する不具合を抑制することを目的とする。当該技術は、アレイ基板および対向基板が湾曲させられたことにより生じる配線パターンの湾曲方向の位置からの遮光パターンの湾曲方向の位置のずれが表示領域の周縁部に近づくにつれて単調に大きくなることを前提とする。当該技術は、表示領域の周縁部に近づくにつれて遮光パターンのピッチが小さくなるように遮光パターンが配置される構造により、または表示領域の周縁部に近づくにつれて遮光パターンの幅が広くなるように遮光パターンが配置される構造により、当該ずれにより発生することが懸念される斜めからの光漏れ、混色等の不具合を抑制することを試みる。
【先行技術文献】
【特許文献】
【００１０】
【特許文献１】特開２００７−３３３８１８号公報
【特許文献２】特開２０１０−００８８７５号公報
【特許文献３】特許第５０２６７７７号公報
【発明の概要】
【発明が解決しようとする課題】
【００１１】
特許文献１、２および３に記載された技術は、アレイ基板および対向基板が湾曲させられたことにより生じるずれを原因とする、斜めからの光漏れ、混色等の不具合を抑制することにある程度寄与する。しかし、液晶表示装置の試作品を作製しずれの状況を調査したところ、表示領域の周縁部に近づくにつれてずれが単調に大きくなることを想定し遮光パターンのピッチまたは幅を調整する当該技術における構造によっては、ずれを原因とする斜めからの光漏れ、混色等の不具合を十分に抑制できないことが判明した。
【００１２】
本発明は、この問題を解決するためになされる。本発明が解決しようとする課題は、湾曲型の液晶表示装置においてアレイ基板および対向基板が湾曲させられたことにより発生するアレイ基板と対向基板との間の影響を受ける斜めからの光漏れ、混色等の不具合を抑制し、高い表示品位を有する液晶表示装置を得ることである。
【課題を解決するための手段】
【００１３】
本発明は、液晶表示装置に関する。
【００１４】
本発明の液晶表示装置の第１の例においては、アレイ基板が湾曲方向について湾曲し、対向基板がアレイ基板に沿うように湾曲方向について湾曲する。
【００１５】
アレイ基板に設けられる複数の画素間パターンは、表示領域に配置され、湾曲方向に配列される。
【００１６】
対向基板に設けられる複数の遮光パターンは、表示領域に配置され、湾曲方向に配列される。
【００１７】
複数の遮光パターンは、それぞれ複数の画素間パターンに対応する。
【００１８】
複数の画素間パターンにおける着目する画素間パターンの湾曲方向の位置が湾曲の頂上部から表示領域の周縁部まで移動した場合は、アレイ基板が平坦であるときの着目する画素間パターンの湾曲方向の位置からの、対向基板が平坦であるときの複数の遮光パターンにおける着目する遮光パターンの湾曲方向の位置のずらし量が、大きくなった後に小さくなる。着目する遮光パターンは、着目する画素間パターンに対応する。
【００１９】
本発明の液晶表示装置の第２の例においては、第１の基板が湾曲方向について湾曲し、第２の基板が第１の基板に沿うように湾曲方向について湾曲する。
【００２０】
第１の基板は、アレイ基板および対向基板の一方である。第２の基板は、アレイ基板および対向基板の他方である。
【００２１】
第１の基板に設けられる第１の複数の遮光パターンは、表示領域に配置され、湾曲方向に配列される。
【００２２】
第２の基板に設けられる第２の複数の遮光パターンは、表示領域に配置され、湾曲方向に配列される。
【００２３】
第２の複数の遮光パターンは、第１の複数の遮光パターンにそれぞれ対応する。
【００２４】
第２の複数の遮光パターンにおける着目する遮光パターンの湾曲方向の位置が湾曲の頂上部から表示領域の周縁部まで移動した場合は、着目する遮光パターンの湾曲方向の幅が、広くなった後に狭くなる。
【００２５】
本発明は、液晶表示装置を製造する方法にも向けられる。
【発明の効果】
【００２６】
本発明によれば、湾曲型の液晶表示装置においてアレイ基板および対向基板が湾曲させられたことにより発生するアレイ基板と対向基板との間のずれの影響を受ける斜めからの光漏れ、混色等の不具合が抑制され、高い表示品位を有する液晶表示装置が得られる。
【００２７】
この発明の目的、特徴、局面、および利点は、以下の詳細な説明と添付図面とによって、より明白となる。
【図面の簡単な説明】
【００２８】
【図１】実施の形態１の液晶表示装置を図示する断面図である。
【図２】実施の形態１の液晶表示装置に備えられる配線パターンを図示する平面図である。
【図３】実施の形態１の液晶表示装置に備えられる遮光パターンおよび着色部を図示する平面図である。
【図４】実施の形態１の液晶表示装置を製造する方法の主要な工程を示すフローチャートである。
【図５】実施の形態２の遮光パターンおよび着色部を図示する平面図である。
【図６】実施の形態３の配線パターンを図示する平面図である。
【図７】実施の形態３の遮光パターンおよび着色部を図示する平面図である。
【図８】実施の形態４の遮光パターンおよび着色部を図示する平面図である。
【図９】配線パターンの位置からの遮光パターンの位置のずれ量の分析に用いられる平坦である液晶パネルを図示する断面図である。
【図１０】配線パターンの位置からの遮光パターンの位置のずれ量の分析に用いられる湾曲した液晶パネルを図示する断面図である。
【図１１】配線パターンの位置からの遮光パターンの位置のずれ量の分析に用いられる液晶パネルに備えられる配線パターン、遮光パターンおよび着色部を図示する平面図である。
【図１２】配線パターンの湾曲方向の位置からの当該配線パターンに対応する遮光パターンの湾曲方向の位置のずれ量の、表示領域の中心部からの距離による変化を図示するグラフである。
【発明を実施するための形態】
【００２９】
１  配線パターンの位置からの遮光パターンの位置のずれ量の分析
図９の模式図は、配線パターンの位置からの遮光パターンの位置のずれ量の分析に用いられる平坦である液晶パネルを図示する断面図である。図１０の模式図は、配線パターンの位置からの遮光パターンの位置のずれ量の分析に用いられる湾曲した液晶パネルを図示する断面図である。
【００３０】
図９および１０の各々に図示される液晶パネル９０００は、アレイ基板９１４０および対向基板９１４１を備える。図１０に図示される湾曲した液晶パネル９０００は、対向基板９１４１がアレイ基板９１４０より湾曲内側に配置されるように、図９に図示される平坦である液晶パネル９０００を湾曲させることにより得られる。
【００３１】
図１１の模式図は、配線パターンの位置からの遮光パターンの位置のずれ量の分析に用いられる液晶パネルに備えられる配線パターン、遮光パターンおよび着色部を図示する平面図である。図１１は、配線パターンが遮光パターンおよび着色部より紙面手前側に来るように描かれている。
【００３２】
アレイ基板９１４０は、図１１に示される複数の配線パターン９３４０を備える。また、対向基板９１４１は、図１１に示される複数の遮光パターン９３６０ならびに複数の着色部９３６１を備える。
【００３３】
複数の遮光パターン９３６０は、複数の配線パターン９３４０にそれぞれ対応する。
【００３４】
図９に図示される平坦である液晶パネル９０００においては、複数の遮光パターン９３６０は、複数の配線パターン９３４０の上にそれぞれ配置される。
【００３５】
しかし、図１０に図示される湾曲した液晶パネル９０００においては、表示領域の中心部９４８０から表示領域のずれ最大部９４８１までにおいて、表示領域の周縁部９４８２に近づくにつれて、配線パターン９３４０の湾曲方向９１００の位置からの当該配線パターン９３４０に対応する遮光パターン９３６０の湾曲方向９１００の位置のずれ量が大きくなる。また、表示領域のずれ最大部９４８１において、ずれ量が最大になる。また、表示領域のずれ最大部９４８１から表示領域の周縁部９４８２までにおいて、表示領域の周縁部９４８２に近づくにつれて、ずれ量が逆に小さくなる。
【００３６】
このため、表示領域の中心部９４８０においては、遮光パターン９３６０が、配線パターン９３４０の上に配置される。また、表示領域のずれ最大部９４８１においては、遮光パターン９３６０が配線パターン９３４０の上に配置されず着色部９３６１の上に配置される。また、表示領域の周縁部９４８２においては、遮光パターン９３６０が配線パターン９３４０の上に配置される。
【００３７】
図１２は、配線パターンの湾曲方向の位置からの当該配線パターンに対応する遮光パターンの湾曲方向の位置のずれ量の、表示領域の中心部からの距離による変化を図示するグラフである。図１２は、液晶パネルの表示長が２９０ｍｍであり液晶パネルが曲率半径８００ｍｍで湾曲させられた場合の変化を図示する。図１２は、アレイ基板および対向基板の基板厚が０．１５ｍｍおよび０．２０ｍｍの各々である場合について変化を図示する。
【００３８】
図１２に図示されるように、表示領域の中心部９４８０からの距離が０ｍｍとなる表示領域の中心部９４８０においては、ずれ量が０になる。また、表示領域の中心部９４８０と距離が約１２０ｍｍとなる表示領域のずれ最大部９４８１との間においては、距離が長くなるにつれてずれ量が大きくなる。また、表示領域のずれ最大部９４８１と距離が１４５ｍｍとなる表示領域の周縁部９４８２との間においては、距離が長くなるにつれてずれ量が小さくなる。また、表示領域の周縁部９４８２においては、ずれ量が０になる。
【００３９】
基板厚Ｔが０．２０ｍｍである場合は、表示領域のずれ最大部９４８１において、ずれ量が約４．５μｍになる。また、基板厚Ｔが０．１５μｍである場合は、表示領域のずれ最大部９４８１において、ずれ量が約３．５μｍになる。
【００４０】
このように、ずれ量は、距離が長くなるにつれて単調に大きくなるわけではない。しかし、特開２００７−３３３８１８号公報、特開２０１０−００８８７５号公報および特許第５０２６７７７号公報に記載された技術においては、距離が長くなるにつれてずれ量が単調に大きくなるわけではないことが考慮されず、距離が長くなるにつれてずれ量が単調に大きくなることを前提として、遮光パターン９３６０のピッチを調整することにより遮光パターン９３６０の位置がずらされるか、または遮光パターン９３６０の幅が調整される。このため、これらの技術においては、遮光パターン９３６０の位置のずらし量が適正でなく遮光パターン９３６０の位置が配線パターン９３４０の位置からずれることに起因する不具合、遮光パターン９３６０の幅が広くなり開口部の幅が狭くなることに起因する輝度の低下等が生じる。
【００４１】
２  実施の形態１
２．１  液晶表示装置
図１の模式図は、実施の形態１の液晶表示装置を図示する断面図である。
【００４２】
図１に図示される液晶表示装置１０００は、薄膜トランジスタ（ＴＦＴ）をスイッチング素子として使用する湾曲型の液晶表示装置である。液晶表示装置１０００は、液晶ディスプレイとも呼ばれる。
【００４３】
液晶表示装置１０００は、液晶パネル１０２０、バックライト１０２１、光学シート１０２２、湾曲透明保護カバー１０２３、透明粘着シート１０２４、制御基板１０２５、フレキシブルフラットケーブル（ＦＦＣ）１０２６および筐体１０２７を備える。液晶表示装置１０００がこれらの構成物以外の構成物を備えてもよい。これらの構成物の一部が液晶表示装置１０００から省略される場合もある。
【００４４】
バックライト１０２１は、光学シート１０２２を挟んで液晶パネル１０２０の一方の主面１０４０に対向する。湾曲透明保護カバー１０２３は、透明粘着シート１０２４を挟んで液晶パネル１０２０の他方の主面１０４１に対向し、透明粘着シート１０２４により液晶パネル１０２０の他方の主面１０４１に貼り付けられる。ＦＦＣ１０２６は、液晶パネル１０２０に備えられる端子１２２５に制御基板１０２５を電気的に接続する。筐体１０２７は、液晶パネル１０２０、バックライト１０２１、光学シート１０２２、湾曲透明保護カバー１０２３、透明粘着シート１０２４、制御基板１０２５およびＦＦＣ１０２６を収容する。筐体１０２７には、開放部１０６０が形成される。開放部１０６０は、液晶パネル１０２０の表示面１０８０を筐体１０２７の外部から開放部１０６０を経由して視認できるように形成される。
【００４５】
液晶パネル１０２０および湾曲透明保護カバー１０２３は、湾曲方向１１００について湾曲する。湾曲透明保護カバー１０２３は、液晶パネル１０２０の他方の主面１０４１の曲率に適合する曲率を有する保持面１１２０を有する。保持面１１２０は、透明粘着シート１０２４を介して液晶パネル１０２０の他方の主面１０４１に貼り付けられる。これにより、液晶パネル１０２０の他方の主面１０４１が湾曲透明保護カバー１０２３により保護される。
【００４６】
液晶表示装置１０００に画像が表示させられる場合は、湾曲型のバックライト１０２１が光源となり光を発する。発せられた光は、光学シート１０２２を透過する。光が光学シート１０２２を透過するときに、光の偏光状態、指向性等が制御される。透過した光は、液晶パネル１０２０の一方の主面１０４０に入射する。入射した光は、液晶パネル１０２０の複数の画素を透過し、液晶パネル１０２０の他方の主面１０４１から出射する。出射した光は、透明粘着シート１０２４および湾曲透明保護カバー１０２３を順次に透過する。透過した光は、開放部１０６０を通過する。
【００４７】
また、液晶表示装置１０００に画像が表示させられる場合は、制御基板１０２５が電気信号を出力する。出力された電気信号は、ＦＦＣ１０２６を経由して端子１２２５に入力される。液晶パネル１０２０は、入力された電気信号に応じて複数の画素における光の透過率を制御する。これにより、入力された電気信号に応じた画像が表示面１０８０に表示される。表示される画像は、開放部１０６０を経由して視認される。
【００４８】
制御基板１０２５は、駆動信号を発生する駆動用集積回路（ＩＣ）等を備え、発生させられた駆動信号を含む電気信号を出力する。
【００４９】
ＦＦＣ１０２６が他の種類のケーブルに置き換えられてもよい。ＦＦＣ１０２６が省略され制御基板１０２５が液晶パネル１０２０に直結されることも許される。駆動用ＩＣの端子が端子１２２５に直結されてもよい。
【００５０】
液晶パネル１０２０は、透過型の液晶パネルである。液晶パネル１０２０が反射型または半透過型の液晶パネルに置き換えられてもよい。半透過型の液晶パネルは、透過型の液晶パネルおよび反射型の液晶パネルの特徴を併せ持つ。液晶パネル１０２０が反射型の液晶パネルに置き換えられる場合は、バックライト１０２１および光学シート１０２２が省略され、反射板が追加される。透過型の液晶パネル１０２０が半透過型の液晶パネルに置き換えられる場合は、反射板が追加される。
【００５１】
２．２  液晶パネル
液晶パネル１０２０は、アレイ基板１１４０、対向基板１１４１、シール材１１４２および液晶１１４３を備える。液晶パネル１０２０がこれらの構成物以外の構成物を備えてもよい。
【００５２】
対向基板１１４１は、間隙１１６０を挟んでアレイ基板１１４０に対向する。シール材１１４２は、間隙１１６０に配置され、表示領域１１８０を囲み、対向基板１１４１をアレイ基板１１４０に貼り合わせる。液晶１１４３は、間隙１１６０に配置され、シール材１１４２に囲まれ、表示領域１１８０に封止される。これにより、液晶パネル１０２０の他方の主面１０４１となる対向基板１１４１の外側主面１２００が、表示領域１１８０にあり画像を表示する表示面１０８０を含むようになる。
【００５３】
アレイ基板１１４０は、湾曲方向１１００について湾曲する。対向基板１１４１は、アレイ基板１１４０に沿うように湾曲方向１１００について湾曲する。対向基板１１４１は、アレイ基板１１４０より湾曲内側に配置される。対向基板１１４１の外側主面１２００は、凹面となる。
【００５４】
アレイ基板１１４０および対向基板１１４１は、矩形状の平面形状を有する。湾曲方向１１００は、アレイ基板１１４０および対向基板１１４１の長手方向と平行をなし、湾曲の曲率が最大となる方向と平行をなす。湾曲方向１１００がアレイ基板１１４０および対向基板１１４１の長手方向以外と平行をなしてもよい。例えば、湾曲方向１１００がアレイ基板１１４０および対向基板１１４１の短手方向と平行をなしてもよい。アレイ基板１１４０および対向基板１１４１が矩形状以外の平面形状を有してもよい。
【００５５】
アレイ基板１１４０は、ＴＦＴアレイ基板であり、ガラス基板１２２０、複数のＴＦＴ１２２１、絶縁膜１２２２、複数の画素電極１２２３、配向膜１２２４、複数のゲート配線、複数のソース配線、端子１２２５、トランスファ電極および偏光板１２２６を備える。複数のゲート配線、複数のソース配線およびトランスファ電極は、図１に図示されない。アレイ基板１１４０がこれらの構成物以外の構成物を備えてもよい。これらの構成物の一部がアレイ基板１１４０から省略される場合もある。
【００５６】
複数のＴＦＴ１２２１は、ガラス基板１２２０の内側主面１２４０の上に配置される。複数のＴＦＴ１２２１は、マトリクス状に配列される。絶縁膜１２２２は、複数のＴＦＴ１２２１に重ねてガラス基板１２２０の内側主面１２４０の上に配置され、複数のＴＦＴ１２２１を覆う。複数の画素電極１２２３は、絶縁膜１２２２に重ねてガラス基板１２２０の内側主面１２４０の上に配置される。端子１２２５は、絶縁膜１２２２に重ねてガラス基板１２２０の内側主面１２４０の上に配置され、表示領域１１８０の外側にある。配向膜１２２４は、絶縁膜１２２２および複数の画素電極１２２３に重ねてガラス基板１２２０の内側主面１２４０の上に配置され、表示領域１１８０にあり、液晶１１４３に接触する。配向膜１２２４が液晶１１４３に接触することにより、液晶１１４３は配向させられる。トランスファ電極は、表示領域１１８０の外側にある。
【００５７】
偏光板１２２６は、ガラス基板１２２０の外側主面１２４１の上に配置される。
【００５８】
対向基板１１４１は、カラーフィルタ基板であり、ガラス基板１２６０、複数のカラーフィルタ１２６１、複数のブラックマトリクス１２６２、共通電極１２６３、配向膜１２６４および偏光板１２６５を備える。対向基板１１４１がこれらの構成物以外の構成物を備えてもよい。これらの構成物の一部が対向基板１１４１から省略される場合もある。
【００５９】
複数のカラーフィルタ１２６１および複数のブラックマトリクス１２６２は、ガラス基板１２６０の内側主面１２８０の上に配置される。共通電極１２６３は、複数のカラーフィルタ１２６１および複数のブラックマトリクス１２６２に重ねてガラス基板１２６０の内側主面１２８０の上に配置される。配向膜１２６４は、共通電極１２６３に重ねてガラス基板１２６０の内側主面１２８０の上に配置され、表示領域１１８０にあり、液晶１１４３に接触する。配向膜１２６４が液晶１１４３に接触することにより、液晶１１４３は配向させられる。
【００６０】
偏光板１２６５は、ガラス基板１２６０の外側主面１２８１の上に配置される。
【００６１】
液晶表示装置１０００に画像が表示させられる場合は、電気信号が端子１２２５に入力され、入力された電気信号に応じた駆動信号が複数の画素の各々である各画素に対応するゲート配線およびソース配線を経由して各画素に対応するＴＦＴ１２２１に供給され、各画素に対応するＴＦＴ１２２１に供給された駆動信号に応じた駆動電圧が各画素に対応する画素電極１２２３に供給される。また、入力された電気信号に応じた駆動信号がトランスファ電極を経由して共通電極１２６３に供給される。各画素に対応する画素電極１２２３および共通電極１２６３に駆動電圧が印加されることにより、各画素に対応する画素電極１２２３と共通電極１２６３との間の電界が制御され、各画素に対応する画素電極１２２３と共通電極１２６３との間にある液晶１１４３の配向状態が制御され、各画素に対応する画素電極１２２３と共通電極１２６３との間にある液晶１１４３を透過する光の偏光状態の変化が制御される。液晶１１４３の配向状態は、液晶１１４３を構成する多数の液晶分子の向きが変化するように液晶１１４３を駆動する電圧を変化させることにより変化させられる。
【００６２】
また、液晶表示装置１０００に画像が表示させられる場合は、液晶パネル１０２０の一方の主面１０４０に光が入射させられる。入射させられた光は、偏光板１２２６、各画素に対応する画素電極１２２３と共通電極１２６３との間にある液晶１１４３および偏光板１２６５を順次に透過する。偏光板１２２６は、第１の偏光状態の光を選択的に透過させる。偏光板１２６５は、第２の偏光状態の光を選択的に透過させる。各画素における光の透過率は、各画素に対応する画素電極１２２３と共通電極１２６３との間にある液晶１１４３を透過する光の偏光状態の変化が、偏光状態を第１の偏光状態から第２の偏光状態に変化させるものに近づくにつれて大きくなる。
【００６３】
液晶パネル１０２０は、透過型の液晶パネルである。このため、液晶パネル１０２０には、透明基板であるガラス基板１２２０および１２６０が設けられる。ガラスからなるガラス基板１２２０および１２６０の少なくとも一方がガラス以外の透明素材からなる透明基板に置き換えられてもよい。例えば、ガラス基板１２２０および１２６０の少なくとも一方が透明プラスチック、石英等からなる透明基板に置き換えられてもよい。
【００６４】
ガラス基板１２２０およびガラス基板１２６０は、可撓性を有し、例えば約０．２ｍｍの基板厚を有するように薄板化される。
【００６５】
透過型の液晶パネル１０２０が反射型の液晶パネルに置き換えられる場合は、透明基板であるガラス基板１２２０および１２６０の一方が非透明基板に置き換えられてもよい。非透明基板は、例えばシリコン基板である。
【００６６】
ガラス基板１２２０および１２６０の少なくとも一方がガラス以外の素材からなる基板に置き換えられる場合も、当該基板は可撓性を有する。
【００６７】
シール材１１４２は、樹脂からなる。
【００６８】
真空中において注入口を経由して液晶１１４３を注入する真空注入方式により液晶１１４３が注入される場合は、シール材１１４２に注入口が形成され、液晶パネル１０２０が注入口を封止する封止材を備える。
【００６９】
液晶１１４３を液滴状に配置し真空中において対向基板１１４１をアレイ基板１１４０に貼り合わせる液滴注入方式により液晶１１４３が注入される場合は、シール材１１４２に注入口が形成されず、液晶パネル１０２０が注入口を封止する封止材を備えない。
【００７０】
液晶パネル１０２０は、図１に図示されない複数のスペーサおよびトランスファ材を備える。
【００７１】
複数のスペーサは、間隙１１６０に配置され、アレイ基板１１４０の内側主面１３００から対向基板１１４１の内側主面１３２０までの距離を一定に維持する。複数のスペーサは、アレイ基板１１４０の内側主面１３００または対向基板１１４１の内側主面１３２０に散布された粒状のものであってもよいし、アレイ基板１１４０の内側主面１３００または対向基板１１４１の内側主面１３２０に形成された柱状のものであってもよい。後者は、樹脂をパターニングすることにより形成される。
【００７２】
トランスファ材は、トランスファ電極を共通電極１２６３に電気的に接続する。これにより、端子１２２５に入力された信号がトランスファ電極を経由して共通電極１２６３に伝達される。
【００７３】
トランスファ材が省略される場合もある。例えば、シール材１１４２の中に導電性を有する粒子を混合することによりシール材１１４２にトランスファ材の役割を持たせた場合は、シール材１１４２から独立したトランスファ材が省略される。
【００７４】
液晶パネル１０２０は、ねじれネマティック（ＴＮ）モードで動作する。液晶パネル１０２０がＴＮモード以外で動作してもよい。例えば、液晶パネル１０２０が超ねじれネマティック（ＳＴＮ）モード、強誘電性液晶モード等で動作してもよい。
【００７５】
液晶パネル１０２０は、縦電界方式で液晶１１４３を駆動する液晶パネルである。液晶パネル１０２０が横電界方式で液晶を駆動する液晶パネルに置き換えられてもよい。横電界方式で液晶を駆動する液晶パネルにおいては、共通電極が対向基板ではなくアレイ基板に設けられ、画素電極と共通電極との間の電界の方向が横方向になり、当該電界により画素電極と共通電極との間にある液晶が駆動される。
【００７６】
２．３  配線パターン、遮光パターンおよび着色部アレイ
図２は、実施の形態１の液晶表示装置に備えられる配線パターンを図示する平面図である。図３は、実施の形態１の液晶表示装置に備えられる遮光パターンおよび着色部アレイを図示する平面図である。図２は、アレイ基板が平坦である場合の配線パターンの平面形状を図示する。図３は、対向基板が平坦である場合の遮光パターンおよび着色部アレイの平面形状を図示する。
【００７７】
アレイ基板１１４０は、図２に図示される複数の配線パターン１３４０を備える。
【００７８】
複数の配線パターン１３４０は、複数のソース配線である。複数の配線パターン１３４０が複数のソース配線以外の複数の画素間パターンであってもよい。例えば、複数の配線パターン１３４０が複数のゲート配線、複数のブラックマトリクス等であってもよい。液晶パネル１０２０が横電界方式で液晶を駆動する液晶パネルに置き換えられる場合は、複数の配線パターン１３４０が複数の共通配線であってもよい。
【００７９】
複数の配線パターン１３４０は、表示領域１１８０に配置され、湾曲方向１１００に配列される。複数の配線パターン１３４０の各々は、線状の遮光パターンであり、湾曲方向１１００と垂直をなす方向に延在する。
【００８０】
対向基板１１４１は、図３に図示される複数の遮光パターン１３６０を備える。
【００８１】
複数の遮光パターン１３６０は、複数のブラックマトリクス１２６２である。複数の遮光パターン１３６０が複数のブラックマトリクス１２６２以外の複数の遮光パターンであってもよい。
【００８２】
複数の遮光パターン１３６０は、表示領域１１８０に配置され、湾曲方向１１００に配列される。複数の遮光パターン１３６０の各々は、線状であり、湾曲方向１１００と垂直をなす方向に延在する。
【００８３】
対向基板１１４１は、図３に図示される着色部アレイ１３８０を備える。
【００８４】
着色部アレイ１３８０は、複数のカラーフィルタ１２６１である。
【００８５】
着色部アレイ１３８０は、複数の繰り返し単位１４００を備える。
【００８６】
複数の繰り返し単位１４００は、湾曲方向１１００に配列される。
【００８７】
複数の繰り返し単位１４００の各々は、第１の着色部１４２０、第２の着色部１４２１および第３の着色部１４２２を備える。第１の着色部１４２０、第２の着色部１４２１および第３の着色部１４２２は、同一の絵素に属し、それぞれ赤色、緑色および青色の光を選択的に透過する開口部となる。第１の着色部１４２０、第２の着色部１４２１および第３の着色部１４２２が、赤色、緑色および青色の光以外の３個以上の色をそれぞれ選択的に透過する３個以上の着色部に置き換えられてもよい。
【００８８】
複数の遮光パターン１３６０は、複数の繰り返し単位１４００の各々について、図３に示されるように、第１の遮光パターン１４４０、第２の遮光パターン１４４１、第３の遮光パターン１４４２および第４の遮光パターン１４４３を含む。第１の遮光パターン１４４０、第２の遮光パターン１４４１、第３の遮光パターン１４４２および第４の遮光パターン１４４３においては、第ｉの遮光パターンが第ｉ＋１の遮光パターンに隣接し、第ｉの遮光パターンおよび第ｉ＋１の遮光パターンが第ｉの着色部を挟む。ｉは、１から３までの整数の各々である。
【００８９】
複数の配線パターン１３４０は、複数の繰り返し単位１４００の各々について、図２に示されるように、第１の配線パターン１４６０、第２の配線パターン１４６１、第３の配線パターン１４６２および第４の配線パターン１４６３を含む。第１の配線パターン１４６０、第２の配線パターン１４６１、第３の配線パターン１４６２および第４の配線パターン１４６３は、第１の遮光パターン１４４０、第２の遮光パターン１４４１、第３の遮光パターン１４４２および第４の遮光パターン１４４３にそれぞれ対応する。
【００９０】
２．４  ずらし量の変化
複数の遮光パターン１３６０は、複数の配線パターン１３４０にそれぞれ対応する。
【００９１】
実施の形態１においては、液晶パネル１０２０が湾曲させられた場合にアレイ基板１１４０と対向基板１１４１との間に発生するずれを考慮して複数の遮光パターン１３６０のピッチが調整される。
【００９２】
実施の形態１においては、アレイ基板１１４０が平坦である場合の複数の配線パターン１３４０における隣接する２個の配線パターン１３４０の間の距離であるアレイ基板１１４０の画素ピッチが、図２に図示されるように、一定の画素ピッチＰに維持される。アレイ基板１１４０の画素ピッチは、表示領域１１８０の中心部１４８０、表示領域１１８０のずれ最大部および表示領域１１８０の周縁部１４８２のいずれにおいても画素ピッチＰである。
【００９３】
しかし、実施の形態１においては、対向基板１１４１が平坦である場合の複数の遮光パターン１３６０における隣接する２個の遮光パターン１３６０の間の距離である対向基板１１４１の画素ピッチは、図３に図示されるように、一定の画素ピッチＰに維持されない。対向基板１１４１の画素ピッチは、表示領域１１８０の中心部１４８０においてアレイ基板１１４０の画素ピッチと同じ画素ピッチＰであり、表示領域１１８０の中心部１４８０から表示領域１１８０のずれ最大部までにおいて徐々に大きくなり、表示領域１１８０のずれ最大部において最大になり、表示領域１１８０のずれ最大部から表示領域１１８０の周縁部１４８２までにおいて徐々に小さくなり、表示領域１１８０の周縁部１４８２において再びアレイ基板１１４０の画素ピッチと同じ画素ピッチＰに戻る。
【００９４】
このため、複数の配線パターン１３４０における着目する配線パターン１３４０の湾曲方向１１００の位置が表示領域１１８０の中心部１４８０から表示領域１１８０の周縁部１４８２まで移動した場合は、アレイ基板１１４０が平坦であるときの着目する配線パターン１３４０の湾曲方向１１００の位置からの対向基板１１４１が平坦であるときの複数の遮光パターン１３６０における着目する遮光パターン１３６０の湾曲方向１１００の位置のずらし量が、大きくなった後に小さくなる。ずらし量は、表示領域１１８０のずれ最大部において最大になる。したがって、ずらし量は、表示領域１１８０の中心部１４８０から表示領域１１８０のずれ最大部までにおいて徐々に大きくなり、表示領域１１８０のずれ最大部から表示領域１１８０の周縁部１４８２までにおいて徐々に小さくなる。着目する遮光パターン１３６０は、着目する配線パターン１３４０に対応する。
【００９５】
これにより、アレイ基板１１４０および対向基板１１４１が湾曲させられた場合に、複数の遮光パターン１３６０が複数の配線パターン１３４０の上にそれぞれ配置され、アレイ基板１１４０および対向基板１１４１が湾曲させられたことにより発生するアレイ基板１１４０と対向基板１１４１との間のずれを原因とする、斜めからの光漏れ、混色等の不具合が抑制される。特に、表示領域１１８０の周縁部１４８２におけるこれらの不具合が適切に抑制される。したがって、高い表示品位を有する液晶表示装置１０００が得られる。
【００９６】
また、実施の形態１においては、複数の遮光パターン１３６０の湾曲方向１１００の幅は、全て同じである。
【００９７】
これにより、湾曲方向１１００の幅が広くなる遮光パターンが複数の遮光パターン１３６０に含まれず、隣接する２個の遮光パターン１３６０に挟まれる開口部の湾曲方向１１００の幅が狭くならず、表示領域１０８０における輝度が均一化される。
【００９８】
２．５  中心部におけるずらし量
表示領域１１８０の中心部１４８０においては、アレイ基板１１４０の画素ピッチおよび対向基板１１４１の画素ピッチのいずれも、画素ピッチＰである。このため、着目する配線パターン１３４０の湾曲方向１１００の位置が表示領域１１８０の中心部１４８０にある場合は、ずらし量が０になる。このようにされる理由は、表示領域１１８０の中心部１４８０は湾曲の頂上部であるため、表示領域１１８０の中心部１４８０においてはアレイ基板１１４０および対向基板１１４１が湾曲させられる前後で配線パターン１３４０の湾曲方向１１００の位置と当該配線パターン１３４０に対応する遮光パターン１３６０の湾曲方向１１００の位置との間の相対的な関係がほとんど変化しないためである。
【００９９】
２．６  周縁部におけるずらし量
表示領域１１８０の周縁部１４８２においては、アレイ基板１１４０の画素ピッチおよび対向基板１１４１の画素ピッチのいずれも、画素ピッチＰである。このため、着目する配線パターン１３４０の湾曲方向１１００の位置が表示領域１１８０の周縁部１４８２にある場合は、ずらし量が０になる。このようにされる理由は、表示領域１１８０の周縁部１４８２はシール材１１４２に沿うため、表示領域１１８０の周縁部１４８２においてはシール材１１４２による接着固定の影響によりアレイ基板１１４０および対向基板１１４１が湾曲させられる前後で配線パターン１３４０の湾曲方向１１００の位置と当該配線パターン１３４０に対応する遮光パターン１３６０の湾曲方向１１００の位置との間の相対的な関係がほとんど変化しないためである。
【０１００】
ただし、表示領域１１８０の周縁部１４８２がシール材１１４２から離れている場合は、着目する配線パターン１３４０の湾曲方向１１００の位置が表示領域１１８０の周縁部１４８２にある場合であっても、ずらし量が０でなくてもよい。
【０１０１】
２．７  画素ピッチが調整される基板の選択
実施の形態１においては、アレイ基板１１４０の画素ピッチが一定の画素ピッチＰに維持され、対向基板１１４１の画素ピッチが一定の画素ピッチＰに維持されない。このため、ずらし量が０でない場合は、着目する配線パターン１３４０の湾曲方向１１００の位置が、アレイ基板１１４０が平坦であり複数の配線パターン１３４０が一定のピッチで配列される場合の湾曲方向１１００の位置からずらされず、着目する遮光パターン１３６０の湾曲方向１１００の位置が、対向基板１１４１が平坦であり複数の遮光パターン１３６０が一定のピッチで配列される場合の湾曲方向１１００の位置からずらされる。
【０１０２】
ただし、アレイ基板１１４０の画素ピッチが一定の画素ピッチＰに維持されず対向基板１１４１の画素ピッチが一定の画素ピッチＰに維持されることも許される。この場合は、着目する配線パターン１３４０の湾曲方向１１００の位置が、アレイ基板１１４０が平坦であり複数の配線パターン１３４０が一定のピッチで配列されるときの湾曲方向１１００の位置からずらされ、着目する配線パターン１３４０の湾曲方向１１００の位置が、対向基板１１４１が平坦であり複数の遮光パターン１３６０が一定のピッチで配列されるときの湾曲方向１１００の位置からずらされない。
【０１０３】
また、アレイ基板１１４０の画素ピッチおよび対向基板１１４１の画素ピッチのいずれも一定の画素ピッチＰに維持されないことも許される。この場合は、着目する配線パターン１３４０の湾曲方向１１００の位置が、アレイ基板１１４０が平坦であり複数の配線パターン１３４０が一定のピッチで配列される場合の湾曲方向１１００の位置からずらされ、着目する遮光パターン１３６０の湾曲方向１１００の位置が、対向基板１１４１が平坦であり複数の遮光パターン１３６０が一定のピッチで配列されるときの湾曲方向１１００の位置からずらされる。
【０１０４】
２．８  ずらし方向
実施の形態１においては、対向基板１１４１がアレイ基板１１４０より湾曲内側に配置される。このため、ずらし量が０でない場合は、対向基板１１４１が平坦であるときの着目する遮光パターン１３６０の湾曲方向１１００の位置が、アレイ基板１１４０が平坦であるときの着目する配線パターン１３４０の湾曲方向１１００の位置から表示領域１１８０の周縁部１４８２に向かってずらされる。
【０１０５】
ただし、アレイ基板１１４０が対向基板１１４１より湾曲内側に配置されてもよい。この場合は、ずらし量が０でないときは、アレイ基板１１４０が平坦であるときの着目する配線パターン１３４０の湾曲方向１１００の位置が、対向基板１１４１が平坦であるときの着目する遮光パターン１３６０の湾曲方向１１００の位置から表示領域１１８０の周縁部１４８２に向かってずらされる。
【０１０６】
２．９  湾曲の頂上部の位置
実施の形態１においては、表示領域１１８０の中心部１４８０が湾曲の頂上部である。
【０１０７】
ただし、表示領域１１８０の中心部１４８０が湾曲の頂上部でなくてもよい。表示領域１１８０の中心部１４８０が湾曲の頂上部でない場合は、対向基板１１４１の画素ピッチが、湾曲の頂上部から表示領域１１８０のずれ最大部までにおいて徐々に大きくなり、表示領域１１８０のずれ最大部において最大になり、表示領域１１８０のずれ最大部から表示領域１１８０の周縁部１４８２までにおいて徐々に小さくなる。このため、着目する配線パターン１３４０の湾曲方向１１００の位置が湾曲の頂上部から表示領域１１８０の周縁部１４８２まで移動した場合に、アレイ基板１１４０が平坦であるときの着目する配線パターン１３４０の湾曲方向１１００の位置からの対向基板１１４１が平坦であるときの着目する遮光パターンの湾曲方向１１００の位置のずらし量が、大きくなった後に小さくなる。
【０１０８】
２．１０  複雑な湾曲の例
液晶パネル１０２０がＳ字カーブを描くように湾曲し、対向基板１１４１の外側主面１２００が凹面になる湾曲の頂上部および対向基板１１４１の外側主面１２００が凸面になる湾曲の頂上部が存在する場合について考える。
【０１０９】
この場合は、対向基板１１４１が平坦であるときの対向基板１１４１の画素ピッチが、前者の湾曲の頂上部から表示領域１１８０のずれ最大部までにおいて徐々に大きくなり、表示領域１１８０のずれ最大部において最大になり、表示領域１１８０のずれ最大部から表示領域１１８０の周縁部１４８２までにおいて徐々に小さくなる。
【０１１０】
また、対向基板１１４１が平坦であるときの対向基板１１４１の画素ピッチが、後者の湾曲の頂上部から表示領域１１８０のずれ最大部までにおいて徐々に小さくなり、表示領域１１８０のずれ最大部において最小になり、表示領域１１８０のずれ最大部から表示領域１１８０の周縁部１４８２までにおいて徐々に大きくなる。
【０１１１】
このため、着目する配線パターン１３４０の湾曲方向１１００の位置が前者の湾曲の頂上部から表示領域１１８０の周縁部１４８２まで移動した場合には、アレイ基板１１４０が平坦であるときの着目する配線パターン１３４０の湾曲方向１１００の位置からの対向基板１１４１が平坦であるときの着目する遮光パターン１３６０の湾曲方向１１００の位置のずらし量が、大きくなった後に小さくなる。この場合は、着目する遮光パターン１３６０の湾曲方向１１００の位置が、着目する配線パターン１３４０の湾曲方向１１００の位置から表示領域１１８０の周縁部１４８２に向かってずらされる。
【０１１２】
また、着目する配線パターン１３４０の湾曲方向１１００の位置が後者の湾曲の頂上部から表示領域１１８０の周縁部１４８２まで移動した場合には、アレイ基板１１４０が平坦であるときの着目する配線パターン１３４０の湾曲方向１１００の位置からの対向基板１１４１が平坦であるときの着目する遮光パターン１３６０の湾曲方向１１００の位置のずらし量が、大きくなった後に小さくなる。この場合は、着目する配線パターン１３４０の湾曲方向１１００の位置が、着目する遮光パターン１３６０の湾曲方向１１００の位置から表示領域１１８０の周縁部１４８２に向かってずらされる。
【０１１３】
２．１１  ずらし量の変化の態様
実施の形態１においては、対向基板１１４１の画素ピッチが連続的に変化させられ、それによりずらし量が連続的に変化させられる。ただし、対向基板１１４１の画素ピッチが階段状に変化させられてもよい。この場合は、表示領域１１８０の中心部１４８０から表示領域１１８０の周縁部１４８２までの区間が複数のサブ区間に分割され、複数のサブ区間の各々である各サブ区間において対向基板１１４１の画素ピッチが当該各サブ区間に固有の画素ピッチに維持される。
【０１１４】
表示領域１１８０の中心部１４８０から表示領域１１８０の周縁部１４８２までの区間が複数のサブ区間に分割される場合は、例えば表示領域１１８０の中心部１４８０を含むサブ区間においてアレイ基板１１４０の画素ピッチおよび対向基板１１４１の画素ピッチが一定の画素ピッチＰに維持される。このようにされる理由は、図１２に示されるように、表示領域１１８０の中心部１４８０付近においてはアレイ基板１１４０および対向基板１１４１が湾曲させられる前後で配線パターン１３４０の湾曲方向１１００の位置と当該配線パターン１３４０に対応する遮光パターン１３６０の湾曲方向１１００の位置との相対的な関係がほとんど変化しないためである。
【０１１５】
残余の少なくとも１個のサブ区間が２個以上のサブ区間である場合は、表示領域１１８０の中心部１４８０から表示領域１１８０の周縁部１４８２までの全区間の１／３を占め表示領域１１８０の周縁部１４８２を含む区間が２個以上のサブ区間に細分化される。このようにされる理由は、図１２に示されるように、全区間の１／３を占め表示領域１１８０の周縁部１４８２を含む区間においてはアレイ基板１１４０および対向基板１１４１が湾曲させられる前後で配線パターン１３４０の湾曲方向１１００の位置と当該配線パターン１３４０に対応する遮光パターン１３６０の湾曲方向１１００の位置との相対的な関係が大きく変化するためである。全区間の１／３を占め表示領域１１８０の周縁部１４８２を含む区間において表示領域１１８０の中心部１４８０からの距離に応じて対向基板１１４１の画素ピッチが連続的に変化してもよい。
【０１１６】
２．１２  ずらし量の具体値
ずらし量の具体値は、シミュレーション計算または実験により特定される。
【０１１７】
シミュレーション計算においては、湾曲の曲率、アレイ基板１１４０の基板厚、対向基板１１４１の基板厚、アレイ基板１１４０の外形サイズ等のアレイ基板１１４０のサイズ、対向基板１１４１の外形サイズ等の対向基板１１４１のサイズ、表示領域１１８０の範囲、シール材１１４２が設けられる領域の位置、アレイ基板１１４０から対向基板１１４１までの距離であるセルギャップ等の情報に基づいて行われる。シミュレーション計算においては、シール材１１４２が設けられる領域を固定端としてアレイ基板１１４０および対向基板１１４１が湾曲させられるモデルが用いられる。
【０１１８】
ずらし量の具体値は、望ましくは実験により特定される。特に、最大ずれ部におけるずらし量は、望ましくは実験により特定される。
【０１１９】
ずらし量の具体値が、図１２に示されるずれ量の傾向を反映したものにされてもよい。例えば、表示領域１１８０の中心部１４８０から表示領域１１８０の周縁部１４８２までの全区間が、当該全区間の１／３を占め表示領域１１８０の中心部１４８０を含む第１のサブ区間および当該全区間の残余を占める第２のサブ区間に分割される。また、第１のサブ区間においてずらし量が０にされる。第１のサブ区間においてずらし量が穏やかに増加させられてもよい。また、第２のサブ区間においてずらし量が第１のサブ区間と第２のサブ区間との境界からずれ最大部までにおいて当該境界における境界値から最大値まで単調増加させられ、ずれ最大部から表示領域１１８０の周縁部１４８２までにおいて最大値から０まで単調減少させられる。ずれ最大部は、ずれ最大部から表示領域１１８０の周縁部１４８２までが全区間の１／６を占めるように設定される。
【０１２０】
２．１３  液晶表示装置の製造
図４は、実施の形態１の液晶表示装置を製造する方法における主要な工程を示すフローチャートである。
【０１２１】
図４に図示される工程Ｓ１０１においては、液晶パネル１０２０の仕掛品が準備される。
【０１２２】
仕掛品は、アレイ基板１１４０、対向基板１１４１、シール材１１４２および液晶１１４３を備える。
【０１２３】
仕掛品は平坦である。このため、仕掛品においてはアレイ基板１１４０および対向基板１１４１は平坦である。
【０１２４】
仕掛品においては、複数の配線パターン１３４０が特定の方向に配列され、複数の遮光パターン１３６０が特定の方向に配列される。
【０１２５】
仕掛品においては、着目する配線パターン１３４０の湾曲方向１１００の位置が表示領域１１８０の中心部１４８０から表示領域１１８０の周縁部１４８２まで移動した場合に、ずらし量が大きくなった後に小さくなる。
【０１２６】
工程Ｓ１０２においては、表示領域１１８０の中心部１４８０が湾曲の頂上部となり対向基板１１４１がアレイ基板１１４０に沿うようにアレイ基板１１４０および対向基板１１４１が特定の方向について湾曲させられる。これにより、湾曲した液晶パネル１０２０が得られる。液晶１１４３を注入する前等の工程Ｓ１０１の途上で工程Ｓ１０２が実行されてもよい。表示領域１１８０の中心部１４８０以外の特定の部分が湾曲の頂上部であってもよい。
【０１２７】
３  実施の形態２
３．１  第１実施形態と第２実施形態との主要な相違
実施の形態２は、実施の形態１の液晶表示装置１０００に備えられる遮光パターン１３６０および着色部アレイ１３８０をそれぞれ置き換える遮光パターンおよび着色部アレイに関する。実施の形態１と実施の形態２との主要な相違は、実施の形態１においては配線パターン１３４０の位置からの遮光パターン１３６０の位置のずらし量が画素を単位として変化させられるのに対して、実施の形態２においては配線パターンの位置からの遮光パターンの位置のずらし量が絵素を単位として変化させられる点にある。実施の形態１において採用された構成が、上記の相違をもたらす構成の採用を阻害しない範囲において、そのまままたは変形されてから実施の形態２において採用されてもよい。
【０１２８】
３．２  遮光パターンおよび着色部アレイ
図５は、実施の形態２の遮光パターンおよび着色部アレイを図示する平面図である。図５は、対向基板が平坦である場合の遮光パターンおよび着色部アレイの平面形状を図示する。
【０１２９】
図５に図示される複数の遮光パターン２３６０は、湾曲方向１１００に配列される。
【０１３０】
図５に図示される着色部アレイ２３８０は、複数の繰り返し単位２４００を備える。複数の繰り返し単位２４００は、湾曲方向１１００に配列される。
【０１３１】
複数の繰り返し単位２４００の各々は、第１の着色部２４２０、第２の着色部２４２１および第３の着色部２４２２を備える。第１の着色部２４２０、第２の着色部２４２１および第３の着色部２４２２は、同一の絵素に属し、それぞれ赤色、緑色および青色の光を選択的に透過する開口部となる。第１の着色部２４２０、第２の着色部２４２１および第３の着色部２４２２が、赤色、緑色および青色の光以外の３個以上の色をそれぞれ選択的に透過する３個以上の着色部に置き換えられてもよい。
【０１３２】
複数の遮光パターン２３６０は、複数の繰り返し単位２４００の各々について、第１の遮光パターン２４４０、第２の遮光パターン２４４１、第３の遮光パターン２４４２および第４の遮光パターン２４４３を含む。第１の遮光パターン２４４０、第２の遮光パターン２４４１、第３の遮光パターン２４４２および第４の遮光パターン２４４３においては、第ｉの遮光パターンが第ｉ＋１の遮光パターンに隣接し、第ｉの遮光パターンおよび第ｉ＋１の遮光パターンが第ｉの着色部を挟む。ｉは、１から３までの整数の各々である。
【０１３３】
複数の配線パターン１３４０は、図２に図示されるように、複数の繰り返し単位２４００の各々について、第１の配線パターン１４６０、第２の配線パターン１４６１、第３の配線パターン１４６２および第４の配線パターン１４６３を含む。第１の配線パターン１４６０、第２の配線パターン１４６１、第３の配線パターン１４６２および第４の配線パターン１４６３は、第１の遮光パターン２４４０、第２の遮光パターン２４４１、第３の遮光パターン２４４２および第４の遮光パターン２４４３にそれぞれ対応する。
【０１３４】
３．３  ずらし量の変化
複数の遮光パターン２３６０は、複数の配線パターン１３４０にそれぞれ対応する。
【０１３５】
実施の形態２においては、アレイ基板１１４０が平坦である場合のアレイ基板１１４０の画素ピッチが、一定の画素ピッチＰに維持される。また、対向基板１１４１が平坦である場合の複数の遮光パターン２３６０における隣接する２個の遮光パターン２３６０の間の距離である対向基板１１４１の画素ピッチが、図５に図示されるように、一定の画素ピッチＰに維持されない。対向基板１１４１の画素ピッチは、表示領域１１８０の中心部１４８０においては、アレイ基板１１４０の画素ピッチと同じ画素ピッチＰであるが、表示領域１１８０の中心部１４８０から表示領域１１８０のずれ最大部までにおいて徐々に大きくなり、表示領域１１８０のずれ最大部において最大になり、表示領域１１８０のずれ最大部から表示領域１１８０の周縁部１４８２までにおいて徐々に小さくなり、表示領域１１８０の周縁部１４８２において再びアレイ基板１１４０の画素ピッチと同じ画素ピッチＰに戻る。
【０１３６】
このため、着目する配線パターン１３４０の湾曲方向１１００の位置が表示領域１１８０の中心部１４８０から表示領域１１８０の周縁部１４８２まで移動した場合は、アレイ基板１１４０が平坦であるときの着目する配線パターン１３４０の湾曲方向１１００の位置からの対向基板１１４１が平坦であるときの着目する配線パターン１３４０に対応する着目する遮光パターン２３６０の湾曲方向１１００の位置のずらし量が、大きくなった後に小さくなる。ずらし量は、表示領域１１８０のずれ最大部において最大になる。したがって、ずらし量は、表示領域１１８０の中心部１４８０から表示領域１１８０のずれ最大部までにおいて徐々に大きくなり、表示領域１１８０のずれ最大部から表示領域１１８０の周縁部１４８２までにおいて徐々に小さくなる。
【０１３７】
これにより、アレイ基板１１４０および対向基板１１４１が湾曲させられた場合に、複数の遮光パターン２３６０がそれぞれ複数の配線パターン１３４０の上に配置され、アレイ基板１１４０および対向基板１１４１が湾曲させられたことにより発生するアレイ基板１１４０と対向基板１１４１との間のずれを原因とする、斜めからの光漏れ、混色等の不具合が抑制される。特に、表示領域１１８０の周縁部１４８２におけるこれらの不具合が適切に抑制される。したがって、高い表示品位を有する液晶表示装置１０００が得られる。
【０１３８】
実施の形態２においては、着目する配線パターン１３４０の湾曲方向１１００の位置が表示領域１１８０の中心部１４８０から表示領域１１８０の周縁部１４８２まで移動した場合に、ずらし量が赤色、緑色および青色の画素からなる絵素を単位として変化する。
【０１３９】
このため、複数の繰り返し単位２４００の各々について、第１の遮光パターン２４４０、第２の遮光パターン２４４１、第３の遮光パターン２４４２および第４の遮光パターン２４４３は、対向基板１１４１が平坦である場合に一定のピッチで配列される。また、複数の繰り返し単位２４００の各々について、第１の配線パターン１４６０、第２の配線パターン１４６１、第３の配線パターン１４６２および第４の配線パターン１４６３も、アレイ基板１１４０が平坦である場合に一定のピッチで配列される。
【０１４０】
これにより、赤色光を選択的に透過する開口部となる第１の着色部２４２０の開口面積、緑色光を選択的に透過する開口部となる第２の着色部２４２１の開口面積および青色光を選択的に透過する開口部となる第３の着色部２４２２の開口面積の比率が特定の比率に固定され、開口面積の比率が絵素により変化せず、白色色度が絵素により変化しない。このことは、表示領域１１８０における白色色度のばらつきを抑制することに寄与する。
【０１４１】
４  実施の形態３
４．１  実施の形態１と実施の形態３との主要な相違
実施の形態３は、実施の形態１の液晶表示装置１０００に備えられる配線パターン１３４０、遮光パターン１３６０および着色部アレイ１３８０をそれぞれ置き換える配線パターン、遮光パターンおよび着色部アレイに関する。実施の形態１と実施の形態３との主要な相違は、実施の形態１においてはアレイ基板１０４０の画素ピッチが一定の画素ピッチＰに維持され対向基板１０４１の画素ピッチが一定の画素ピッチＰに維持されないが、実施の形態３においてはアレイ基板の画素ピッチおよび対向基板の画素ピッチのいずれも一定の画素ピッチＰに維持されない点にある。実施の形態１において採用された構成が、上記の相違をもたらす構成の採用を阻害しない範囲において、そのまままたは変形されてから実施の形態３において採用されてもよい。
【０１４２】
４．２  配線パターン、遮光パターンおよび着色部アレイ
図６は、実施の形態３の配線パターンを図示する平面図である。図７は、実施の形態３の遮光パターンおよび着色部アレイを図示する平面図である。
【０１４３】
図６は、アレイ基板が平坦である場合の配線パターンの平面形状を図示する。図７は、対向基板が平坦である場合の遮光パターンおよび着色部アレイの平面形状を図示する。
【０１４４】
図６に図示される複数の配線パターン３３４０は、湾曲方向１１００に配列される。
【０１４５】
図７に図示される複数の遮光パターン３３６０は、湾曲方向１１００に配列される。
【０１４６】
図７に図示される着色部アレイ３３８０は、複数の繰り返し単位３４００を備える。複数の繰り返し単位３４００の各々は、第１の着色部３４２０、第２の着色部３４２１および第３の着色部３４２２を備える。
【０１４７】
４．３  ずらし量の変化
複数の遮光パターン３３６０は、複数の配線パターン３３４０にそれぞれ対応する。
【０１４８】
実施の形態３においては、アレイ基板１１４０が平坦である場合の複数の配線パターン３３４０における隣接する２個の配線パターン３３４０の間の距離であるアレイ基板１１４０の画素ピッチが、図６に図示されるように、一定の画素ピッチＰに維持されない。アレイ基板１１４０の画素ピッチは、表示領域１１８０の中心部１４８０においては画素ピッチＰであるが、表示領域１１８０の中心部１４８０から表示領域１１８０のずれ最大部までにおいて徐々に小さくなり、表示領域１１８０のずれ最大部において最小になり、表示領域１１８０のずれ最大部から表示領域１１８０の周縁部１４８２までにおいて徐々に大きくなり、表示領域１１８０の周縁部１４８２において再び画素ピッチＰに戻る。また、対向基板１１４１が平坦である場合の複数の遮光パターン３３６０における隣接する２個の遮光パターン３３６０の間の距離である対向基板１１４１の画素ピッチも、図７に図示されるように、一定の画素ピッチＰに維持されない。対向基板１１４１の画素ピッチは、表示領域１１８０の中心部１４８０においてはアレイ基板１１４０の画素ピッチと同じ画素ピッチＰであるが、表示領域１１８０の中心部１４８０から表示領域１１８０のずれ最大部までにおいて徐々に大きくなり、表示領域１１８０のずれ最大部において最大になり、表示領域１１８０のずれ最大部から表示領域１１８０の周縁部１４８２までにおいて徐々に小さくなり、表示領域１１８０の周縁部１４８２において再びアレイ基板１１４０の画素ピッチと同じ画素ピッチＰに戻る。
【０１４９】
このため、複数の配線パターン３３４０における着目する配線パターン３３４０の湾曲方向１１００の位置が表示領域１１８０の中心部１４８０から表示領域１１８０の周縁部１４８２まで移動した場合は、アレイ基板１１４０が平坦であるときの着目する配線パターン３３４０の湾曲方向１１００の位置からの対向基板１１４１が平坦であるときの複数の遮光パターン３３６０における着目する遮光パターン３３６０の湾曲方向１１００の位置のずらし量が、大きくなった後に小さくなる。ずらし量は、表示領域１１８０のずれ最大部において最大になる。したがって、ずらし量は、表示領域１１８０の中心部１４８０から表示領域１１８０のずれ最大部までにおいて徐々に大きくなり、表示領域１１８０のずれ最大部から表示領域１１８０の周縁部１４８２までにおいて徐々に小さくなる。
【０１５０】
これにより、アレイ基板１１４０および対向基板１１４１が湾曲させられた場合に、複数の遮光パターン３３６０がそれぞれ複数の配線パターン３３４０の上に配置され、アレイ基板１１４０および対向基板１１４１が湾曲させられたことにより発生するアレイ基板１１４０と対向基板１１４１との間のずれを原因とする、斜めからの光漏れ、混色等の不具合が抑制される。特に、表示領域１１８０の周縁部１４８２におけるこれらの不具合が適切に抑制される。したがって、高い表示品位を有する液晶表示装置１０００が得られる。
【０１５１】
実施の形態３においては、ずらし量が０でない場合に、着目する配線パターン３３４０の湾曲方向１１００の位置が、アレイ基板１１４０が平坦であり複数の配線パターン３３４０が一定のピッチで配置されるときの湾曲方向１１００の位置から第１の方向にずらされる。また、着目する遮光パターン３３６０の湾曲方向１１００の位置が、対向基板１１４１が平坦であり複数の遮光パターン３３６０が一定のピッチで配置されるときの湾曲方向１１００の位置から第２の方向にずらされる。第２の方向は、第１の方向の反対の方向である。
【０１５２】
着目する配線パターン３３４０の湾曲方向１１００の位置の第１の方向へのずらし量の大きさは、望ましくは、着目する配線パターン３３４０の湾曲方向１１００の位置からの着目する遮光パターン３３６０の湾曲方向１１００の位置のずらし量の大きさの半分とされる。着目する遮光パターン３３６０の湾曲方向１１００の位置の第２の方向へのずらし量の大きさは、望ましくは着目する配線パターン３３４０の湾曲方向１１００の位置からの着目する遮光パターン３３６０の湾曲方向１１００の位置のずらし量の大きさの半分とされる。
【０１５３】
これにより、液晶パネル１０２０の全体において配線パターン３３４０および遮光パターン３３６０のピッチのずれを半分に抑制することができる。
【０１５４】
５  実施の形態４
５．１  実施の形態１と実施の形態４との主要な相違
実施の形態４は、実施の形態１の液晶表示装置１０００に備えられる遮光パターン１３６０および着色部アレイ１３８０をそれぞれ置き換える遮光パターンおよび着色部アレイに関する。実施の形態１と実施の形態４との主要な相違は、実施の形態１においては配線パターン１３４０の位置からの遮光パターン１３６０の位置のずらし量が変化させられるのに対して、実施の形態４においては遮光パターンの湾曲方向の幅が変化させられる点にある。実施の形態１において採用された構成が、上記の相違をもたらす構成の採用を阻害しない範囲において、そのまままたは変形されてから実施の形態４において採用されてもよい。
【０１５５】
５．２  遮光パターンおよび着色部
図８は、実施の形態４の遮光パターンおよび着色部アレイを図示する平面図である。図８は、対向基板が平坦である場合の遮光パターンおよび着色部アレイの平面形状を図示する。
【０１５６】
図８に図示される複数の遮光パターン４３６０は、湾曲方向１１００に配列される。
【０１５７】
図８に図示される着色部アレイ４３８０は、複数の繰り返し単位４４００を備える。複数の繰り返し単位４４００の各々は、第１の着色部４４２０、第２の着色部４４２１および第３の着色部４４２２を備える。
【０１５８】
５．３  遮光パターンの幅の変化
複数の遮光パターン４３６０は、複数の配線パターン１３４０にそれぞれ対応する。
【０１５９】
実施の形態４においては、アレイ基板１１４０が平坦である場合のアレイ基板１１４０の画素ピッチが、一定の画素ピッチＰに維持される。また、対向基板１１４１が平坦である場合の複数の遮光パターン４３６０における隣接する２個の遮光パターン４３６０の間の距離である対向基板１１４１の画素ピッチも、図８に図示されるように、一定の画素ピッチＰに維持される。対向基板１１４１の画素ピッチは、表示領域１１８０の中心部１４８０、表示領域１１８０のずれ最大部および表示領域１１８０の周縁部１４８２のいずれにおいても画素ピッチＰである。
【０１６０】
また、実施の形態４においては、複数の遮光パターン４３６０における着目する遮光パターン４３６０の湾曲方向１１００の位置が表示領域１１８０の中心部１４８０から表示領域１１８０の周縁部１４８２まで移動した場合に、着目する遮光パターン４３６０の湾曲方向１１００の幅が広くなった後に狭くなる。着目する遮光パターン４３６０の湾曲方向１１００の幅は、表示領域１１８０の中心部１４８０においては幅Ｗであるが、表示領域１１８０の中心部１４８０から表示領域１１８０のずれ最大部までにおいて徐々に広くなり、表示領域１１８０のずれ最大部において最大になり、表示領域１１８０のずれ最大部から表示領域１１８０の周縁部１４８２までにおいて徐々に狭くなり、表示領域１１８０の周縁部１４８２においては再び幅Ｗに戻る。幅Ｗは、液晶パネル１０２０が平坦である場合に斜めからの光漏れを発生させないような遮光パターン４３６０の幅であり、非湾曲型の液晶表示装置において採用される遮光パターン４３６０の設計幅である。
【０１６１】
これにより、アレイ基板１１４０および対向基板１１４１が湾曲させられた場合に、複数の遮光パターン４３６０が複数の配線パターン１３４０の上にそれぞれ配置され、アレイ基板１１４０および対向基板１１４１が湾曲させられたことにより発生するアレイ基板１１４０と対向基板１１４１との間のずれを原因とする、斜めからの光漏れ、混色等の不具合が抑制される。特に、表示領域１１８０の周縁部１４８２におけるこれらの不具合が適切に抑制される。したがって、高い表示品位を有する液晶表示装置１０００が得られる。
【０１６２】
また、複数の遮光パターン４３６０の湾曲方向１１００の幅が必要なだけ広げられるため、輝度の低下が最小限に抑制される。
【０１６３】
また、複数の遮光パターン４３６０の湾曲方向１１００の幅が変更されるが対向基板１１４１の画素ピッチが一定に維持されるため、液晶パネル１０２０において、湾曲方向１１００の位置による開口率の変動が抑制される。
【０１６４】
実施の形態４においては、対向基板１１４１がアレイ基板１１４０より湾曲内側に配置される。このため、アレイ基板１１４０が第１の基板となり、アレイ基板１１４０に備えられる遮光パターンである配線パターン１３４０が第１の遮光パターンになり、対向基板１１４１が第２の基板になり、対向基板１１４１に備えられる遮光パターン４３６０が第２の遮光パターン４３６０になる。第１の基板は、第１の基板に設けられる第１の遮光パターンの幅が変化しない基板であり、第２の基板は、第２の基板に設けられる第２の遮光パターンの幅が変化する基板である。
【０１６５】
ただし、アレイ基板１１４０が対向基板１１４１より湾曲内側に配置されてもよい。この場合は、対向基板１１４１が第１の基板となり、対向基板１１４１に備えられる遮光パターン４３６０が第１の遮光パターンになり、アレイ基板１１４０が第２の基板になり、アレイ基板１１４０に備えられる配線パターン１３４０が第２の遮光パターンになる。
【０１６６】
なお、本発明は、その発明の範囲内において、各実施の形態を自由に組み合わせたり、各実施の形態を適宜、変形、省略することが可能である。
【０１６７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１６８】
１０００  液晶表示装置、１０２０  液晶パネル、１１４０  アレイ基板、１１４１  対向基板、１１４２  シール材、１１４３  液晶、１１８０  表示領域、１２２１  ＴＦＴ、１２６１  カラーフィルタ、１２６２  ブラックマトリクス、１３４０，３３４０，４３４０  配線パターン、１３６０，２３６０，３３６０，４３６０  遮光パターン、１３８０，２３８０，３３８０，４３８０  着色部アレイ、１４００，２４００，３４００，４４００  繰り返し単位。
【図１】
2018081192.tif 000003
【図２】
2018081192.tif 000004
【図３】
2018081192.tif 000005
【図４】
2018081192.tif 000006
【図５】
2018081192.tif 000007
【図６】
2018081192.tif 000008
【図７】
2018081192.tif 000009
【図８】
2018081192.tif 000010
【図９】
2018081192.tif 000011
【図１０】
2018081192.tif 000012
【図１１】
2018081192.tif 000013
【図１２】
2018081192.tif 000014